(57)【要約】      （修正有）【課題】球状容器や湾曲底部を有する筒状容器、例えば石英ガラスルツボ等を安定に吊り上げることができ、かつ容器への装着および取り外しが容易な吊り具を提供する。【解決手段】筒状容器２０を包み込む筒状シート１１、該筒状シート底部の絞り固定手段、該筒状シートの上側に延びる吊りベルト１４を有し、筒状容器を包み込んだ筒状シートの底部を該容器胴部の横幅以下に絞り固定して該筒状容器を吊ることを特徴とする吊り具１０であり、好ましくは、筒状シートの底部に、該底部の周囲を巡る紐１５が設けられており、該紐を筒状容器胴部の横幅以下に結び止めする絞り固定手段が形成されており、さらに筒状シートの胴部に該胴部の周囲を巡るリング状の補強材１６が設けられている吊り具。【選択図】図１
2006256775.tif 000002
【特許請求の範囲】
【請求項１】
筒状容器を包み込む筒状シート、該筒状シート底部の絞り固定手段、該筒状シートの上側に延びる吊りベルトを有し、筒状容器を包み込んだ筒状シートの底部を該容器胴部の横幅以下に絞り固定して該筒状容器を吊ることを特徴とする吊り具。
【請求項２】
筒状シートの底部に、該底部の周囲を巡る紐が設けられており、該紐を筒状容器胴部の横幅以下に結び止めする絞り固定手段が形成されている請求項１の吊り具。
【請求項３】
筒状シートの胴部に、該胴部の周囲を巡るリング状の補強材が設けられている請求項１または２に記載する吊り具。
【請求項４】
筒状シートの前後および左右に吊りベルトが設けられており、該吊りベルトは筒状シートの底部から上端部にかけて縦方向に固着されており、さらに該筒状シート上端部から上方に延びている請求項１〜３の何れかに記載する吊り具。
【請求項５】
筒状容器がシリコン単結晶引き上げ用の石英ルツボである請求項１〜４の何れかに記載する吊り具。
【発明の詳細な説明】
【技術分野】
【０００１】
本発明は、球状容器や湾曲底部を有する筒状容器、例えば石英ガラスルツボ等を安定に吊り上げることができ、かつ容器への装着および取り外しが容易な吊り具に関する。
【背景技術】
【０００２】
石英ガラスルツボを搬送する場合、衝撃を与えないように吊り具やパレットなどが使用されている。例えば、特開平１１−２６３６９６号公報（特許文献１）には、フレーム中央に開口部を有し、この開口部にルツボを載せるパレットが記載されている。しかし、パレットにルツボを載せるには、ルツボを持ち上げる必要があり、特に大型の石英ルツボは安全に持ち上げるのが容易ではない。
【０００３】
また、紐やベルトを井桁状に組み合わせた吊り具や、たすき掛けに組み合わせた吊り具が知られている。この形状の吊り具は、中央の升目部分あるいは交差部分によってルツボの底部を支えるものであるため、吊り具をルツボに装着する際に、これらの部分をあらかじめルツボ底部の下側に差し込む必要があるが、ルツボ底部の下側に吊り具の中央部を差し込むにはルツボを持ち上げなければならない。また、吊り具を外す時にもルツボを持ち上げる必要があり、作業性に劣る。
【０００４】
さらに、４本の紐をルツボに掛け渡す吊り具が知られているが、これは紐が外れ易いので作業が面倒であり、四角形の枠を用いるものはルツボ側面の円筒状胴部と形状が合わず、吊り具の枠に弛みができるので、ルツボの固定が不安定になるなどの問題がある。
【０００５】
従来の上記問題を改善した吊り具が特開２００４−２７７０３２号公報（特許文献２）に開示されている。この吊り具は縦向きのベルトと横向きのベルトが石英ルツボの側面に容易に掛け渡されるように一体に連結されているので、吊り具の着脱作業が容易であり、かつ安定に石英ルツボを支えることができる利点を有している。
【特許文献１】特開平１１−２６３６９６号公報
【特許文献２】特開２００４−２７７０３２号公報
【発明の開示】
【発明が解決しようとする課題】
【０００６】
本発明は、上記吊り具をさらに改善したものであり、石英ルツボ等の筒状容器全体を包み込みこんで吊り上げることによって、吊り上げ時の安定性をさらに高め、また着脱作業がさらに容易な吊り具を提供する。
【課題を解決するための手段】
【０００７】
本発明によれば以下の構成からなる吊り具が提供される。
（１）筒状容器を包み込む筒状シート、該筒状シート底部の絞り固定手段、該筒状シートの上側に延びる吊りベルトを有し、筒状容器を包み込んだ筒状シートの底部を該容器胴部の横幅以下に絞り固定して該筒状容器を吊ることを特徴とする吊り具。
（２）筒状シートの底部に、該底部の周囲を巡る紐が設けられており、該紐を筒状容器胴部の横幅以下に結び止めする絞り固定手段が形成されている上記(1)の吊り具。
（３）筒状シートの胴部に、該胴部の周囲を巡るリング状の補強材が設けられている上記(1)または(2)に記載する吊り具。
（４）筒状シートの前後および左右に吊りベルトが設けられており、該吊りベルトは筒状シートの底部から上端部にかけて縦方向に固着されており、さらに該筒状シート上端部から上方に延びている上記(1)〜(3)の何れかに記載する吊り具。
（５）筒状容器がシリコン単結晶引き上げ用の石英ルツボである上記(1)〜(4)の何れかに記載する吊り具。
【発明の効果】
【０００８】
本発明の吊り具は、筒状シートによって容器全体が包み込まれた状態で吊られるので、吊り具が容器から外れることがなく、従って、球状容器や湾曲底部を有する容器、筒状容器などを安定に吊ることができ、移動中の荷崩れを生じない。
【０００９】
本発明の吊り具は、筒状シートを上側から容器に被せればよく、また、取り外すときにはシート底部の絞り止めを解除して、引き抜けばよく、容器の外周に吊り具を広げる必要がないので、作業スペースが狭くても容器の幅よりやや広い程度の場所であれば容易に作業することができる。
【００１０】
また、本発明の吊り具は、容器を包み込んだ筒状シートの底部を容器胴部の横幅以下に結び止めすることによって、簡単に容器を筒状シート内部に固定できるので、容器に対する吊り具の装着が容易であり、かつ取り外しも容易である。
【発明を実施するための最良の形態】
【００１１】
以下、図面を参照して本発明を具体的に説明する。
本発明の吊り具を図１に示す。図示するように、吊り具１０は、石英ルツボなどの筒状容器２０を包み込む筒状シート１１、該筒状シート底部１２の絞り固定手段１５、該筒状シート１１の上側に延びる吊りベルト１４を有している。
【００１２】
図示するように、筒状シート１１はその内部に収納する石英ルツボ等の筒状容器よりも横幅がやや大きいものが用いられる。また、筒状シート１１の高さは吊り上げたときに筒状容器の全体を包み込むことができるように該容器よりも高さの長いものが好ましい。該筒状シート１１の上部および底部は開口しており、この底部開口を通じて石英ルツボ等が出し入れされる。
【００１３】
また、好ましくは、筒状シート１１の胴部１３には該胴部１３の周囲を巡るリング状の補強材１６が設けられている。このリング状補強材１６によって、該筒状シート１１を吊り下げたときに筒状に膨らんだ状態を保つことができ、該シートの底部開口を広げた状態で石英ルツボ等に被せることによって、石英ルツボ等を容易に内部に出し入れすることができる。
【００１４】
図示する例では、筒状シート底部１２の最下部に該底部１２の周囲を巡る紐１５が脱落しないように通し掛けられており、該紐１５を筒状容器胴部の横幅以下に結び止めすることによって該容器が脱落しないように収納する絞り固定手段が形成されている。該紐１５の取付方法としては、シート底部の開口縁を袋状に形成してその内部に回し通してもよく、または該底部１２の布地の表裏を交互に貫いて紐１５が該底部の最下部を一巡するように通し渡してもよい。
【００１５】
また、図示する例では、吊りベルトは筒状シート１１の前後および左右に合計４本の吊りベルト１４が設けられている。これらの吊りベルト１４は筒状シート１１の底部から上端部にかけて縦方向に固着されており、さらに該筒状シート１１の上端部から上方に延びて互いに連結されている。ホイスト等の搬送手段のフックをこの吊りベルト１４の連結部分に引っかけて全体を吊り上げる。
【００１６】
この吊りベルト１４は筒状シート１１の縦方向に固着されているので、全体を吊り上げたときに、荷重が上記吊りベルト１４に沿って縦方向に支えられることになり、筒状シート１１の上下の撚れが殆ど無く、安定に吊り下げることができる。なお、吊りベルト１４の本数は４本に限らない。３本でもよく、４本以上でもよい。
【００１７】
なお、吊りベルト１４の上端をあらかじめ連結した形状にせず、互いに分離した状態にして各々の上端にリングを設け、吊り上げるときに該リングを寄せ集めてホイスト等のフックに一体に引っかけるようにしてもよい。
【００１８】
図示するように、筒状シート１１を搬送手段に吊り下げた状態で石英ルツボ２０の上方に設置する〔図２（Ａ）〕。該筒状シート１１の底部を開いた状態で石英ルツボ２０に向かって筒状シート１１を下降させ、該底部開口から石英ルツボ２０に被せる〔図２（Ｂ）〕。好ましくは、筒状シート底部の紐１５の位置が石英ルツボ底部の湾曲部の下側に達するまで該筒状シート１１を下降させる。次いで、該シート底部開口の大きさが石英ルツボ２０の横幅より狭くなるまで紐１５を絞ってシート底部の最下部を結び止めし、筒状シート内部に石英ルツボ２０を収納する〔図２（Ｃ）〕。この状態で全体を吊り上げ、目的地まで搬送する。
【００１９】
石英ルツボ１０を取り出すときには、筒状シート内部に石英ルツボ２０を収納した状態で吊り下ろし、台座や収納箱などに設置する〔図２（Ｃ）〕。次いで、紐１５の結びを解いてシート底部を開く。さらに、シート底部を開いた状態で筒状シート１１を吊り上げ、筒状シート１１を石英ルツボ２０から上方に引き抜く〔図２（Ｂ）〕。この筒状シート１１はシート底部が開いた状態なので、このまま石英ルツボ２０の収納場所まで移動させ〔図２（Ａ）〕、再び上記収納動作を繰り返すことによって連続的に石英ルツボの吊り下げ移送を行わせることができる。
【００２０】
本発明の吊り具は、筒状シートを上方から容器に被せてシート底部を絞り固定することによって容易にシート内部に容器を収納でき、また絞り固定を解除することによって簡単に引き抜くことができるので、容器に対する脱着作業が極めて簡単かつ迅速であり、球状容器や筒状容器、底部湾曲容器などについても簡単に吊り下げ移送することができる。
【００２１】
さらに本発明の吊り具は、容器をそのまま包み込んで吊り上げるので、球状容器や筒状容器、底部湾曲容器などについても移動中の荷崩れがなく、安定に移送することができる。また、筒状シートを上方から容器に被せて収納し、また上方から引き抜くので、シートを横に広げる必要がなく、作業スペースが狭い場所においても使用することができる。さらに、本発明の吊り具は、筒状シートの開口径より小さい大きさの容器について共通に使用することができる。
【図面の簡単な説明】
【００２２】
【図１】本発明の吊り具と石英ルツボの概略外観図
【図２】(Ａ)(Ｂ)(Ｃ)  本発明の吊り具の使用態様を示す説明図
【符号の説明】
【００２３】
１０−吊り具、１１−筒状シート、１２−シート底部、１３−シート胴部、１４−吊りベルト、１５−紐、１６−リング状補強材、２０−石英ルツボ。
【図１】
2006256775.tif 000003
【図２】
2006256775.tif 000004